(57)【要約】【課題】ビニールハウスやビニール温室に対して、鳥類忌避用の糸条体を容易に張設できる様な支柱を提供する。【解決手段】テグス張設用支柱１０は、直径２ｍｍの断面円形のスチール製の針金を曲げて形成される支柱本体１１を備える。この支柱本体１１は、その脚部１２の下端に当該支柱本体１１を屋根に固定するための屋根固定部１３を備える。また、支柱本体１１は、その上端部に糸条体を締結するテグス固定部１４を備える。このテグス固定部１４は、支柱本体１１を構成する針金を、１周以上のループを形成した上でクロスさせて左右斜め下方に伸びる様に曲げることにより形成され、このループ部１４ａ及びクロス部１４ｂとして構成されるものである。そして、支柱本体１１は、全体形状として、二等辺三角形の二つの斜辺からなる逆Ｖ字状に形成されている。【選択図】　図２
0003098981.tif 000002
【実用新案登録請求の範囲】
【請求項１】
温室、ビニールハウス等の構築物の屋根に鳥類が飛来し、留まるのを防止するために、該構築物の屋根に鳥類忌避用の糸条体を張設するための支柱であって、以下の（Ａ）〜（Ｅ）の構成を有することを特徴とする鳥類忌避用糸条体張設用支柱。
（Ａ）針金を曲げて形成される支柱本体を備えること。
（Ｂ）前記支柱本体は、その下端部に前記支柱本体を屋根に固定するための屋根固定部を備えること。
（Ｃ）前記支柱本体は、その上端部に糸条体を固定する糸条体固定部を備えること。
（Ｄ）前記糸条体固定部は、前記支柱本体を構成する針金を、１周以上のループ部と、該ループの下方でクロスして左右下方に斜めに伸びる様に曲げて形成されるループ部及びクロス部から構成されていること。
（Ｅ）前記支柱本体は、前記クロス部から左右斜め下方に伸びる二つの脚部を有すること。
【請求項２】
さらに、以下の（Ｆ）〜（Ｈ）の構成をも有することを特徴とする請求項１記載の鳥類忌避用糸条体張設用支柱。
（Ｆ）前記糸条体固定部は、前記針金のほぼ中央辺りを曲げることによって形成されていること。
（Ｇ）前記屋根固定部は、前記脚部の下端から水平方向外側に屈曲され、上方からビス、ネジ又はボルト等の結合要素を挿入可能なループ状の部分として構成されていること。
（Ｈ）前記屋根固定部としてのループ状の部分は、前記結合要素の頭が下方に抜け出さない様な挿通穴を構成する寸法・形状とされていること。
【請求項３】
さらに、以下の（Ｆ）、（Ｉ）〜（Ｋ）の構成をも有することを特徴とする請求項１記載の鳥類忌避用糸条体張設用支柱。
（Ｆ）前記糸条体固定部は、前記針金のほぼ中央辺りを曲げることによって形成されていること。
（Ｉ）前記脚部の下端に、さらに外側に伸びる様に前記針金を屈曲させて形成された水平部を備えていること。
（Ｊ）前記屋根固定部は、前記水平部を、ビニールハウスにおいてビニールシートを着脱可能に固定するレールに嵌り込む様な寸法・形状を有する様に前記針金を屈曲させて形成されていること。
（Ｋ）前記水平部の先端は、前記レーから上方所定高さに浮いた状態となる様に屈曲されて、該レールに対してこの支柱を着脱する際の操作レバー部とされていること。
【考案の詳細な説明】
【０００１】
【考案の属する技術分野】
本考案は、温室、ビニールハウス等の構築物の屋根に鳥類が飛来し、留まるのを防止するために、該構築物の屋根に鳥類忌避用のテグス、ピアノ線などの糸条体を張設するための支柱に関するものである。
【０００２】
【従来の技術】
従来より、構築物に糸条体を張り巡らすことで、構築物に鳥類が飛来し、留まるのを忌避する方法が提案されている（特許文献１、特許文献２）。
【０００３】
ビニールハウスやビニール温室においては、特に、鳥類が飛来し、留まることにより、その屋根材（ビニールシート）に穴を開けられてしまうという問題が深刻である。そこで、ビニール温室の屋根の頂上部に糸条体を張設して鳥類を忌避する方法が提案されている（特許文献３）。
【０００４】
【特許文献１】
特開平１−２９１７４１号公報（請求項１）
【０００５】
【特許文献２】
特開平２−６５３０１号公報（請求項１）
【０００６】
【特許文献３】
特開平５−３３６８６８号公報（図６）
【０００７】
【考案の解決しようとする課題】
しかしながら、特許文献１〜３の提案は、いずれも、既存のビニールハウスやビニール温室に対して鳥類忌避用の糸条体を張設するのに適していない。
【０００８】
特に、棟木の存在しないビニールハウスに対して設置するに当たっては、従来技術をそのまま適用したのでは、新築の際であっても容易ではない。
【０００９】
また、糸条体を張設する作業は、屋根の頂上付近における高所作業となり、従来技術では作業性が悪いという問題もある。
【００１０】
そこで、本考案は、ビニールハウスやビニール温室に対して、鳥類忌避用の糸条体を容易に張設できる様にすることを目的とする。
【００１１】
【課題を解決するための手段及び考案の効果】
上記第１の目的を達成するためになされた本考案の鳥類忌避用糸条体張設用支柱は、温室、ビニールハウス等の構築物の屋根に鳥類が飛来し、留まるのを防止するために、該構築物の屋根に鳥類忌避用の糸条体を張設するための支柱であって、以下の（Ａ）〜（Ｅ）の構成を有することを特徴とする。
【００１２】
（Ａ）針金を曲げて形成される支柱本体を備えること。
（Ｂ）前記支柱本体は、その下端部に前記支柱本体を屋根に固定するための屋根固定部を備えること。
（Ｃ）前記支柱本体は、その上端部に糸条体を固定する糸条体固定部を備えること。
（Ｄ）前記糸条体固定部は、前記支柱本体を構成する針金を、１周以上のループ部と、該ループの下方でクロスして左右下方に斜めに伸びる様に曲げて形成されるループ部及びクロス部から構成されていること。
（Ｅ）前記支柱本体は、前記クロス部から左右斜め下方に伸びる二つの脚部を有すること。
【００１３】
本考案の鳥類忌避用糸条体張設用支柱は、上述の構成Ａ〜Ｅを採用したことにより、全体としてバネ性を有する上に、糸条体固定部が針金を曲げて形成したループ部とその下方のクロス部とにより構成されているので、鳥類忌避用糸条体としてのテグスやピアノ線などを縛り付けたり巻き付けたりして固定する際、そのバネ性による変形とその結果生じる反発力を利用して、糸条体をきつく締め上げることができる。
【００１４】
ここで、クロス部に糸条体を巻き付けた場合、クロス部の上方に位置するループが抜け止めとなる。従って、作業性の悪い屋根上でも、鳥類忌避用糸条体を、容易に、しかも、しっかりと固定することができる。
【００１５】
また、本考案の支柱は、張設した糸条体が弛まない様に、屋根の正面妻側から奥行き方向に所定距離を隔てて必要な本数を設置して使用される。その際、妻側の端の支柱及び一番奥の支柱の、両方、あるいはいずれか一方に対して糸条体を固定するに当たっては、クロス部に縛り付けてもよいし、ループ部に縛り付けてもよい。
【００１６】
なお、中間位置の支柱についてもループ部に巻き付けたり縛り付けたりする様にしてもよい。中間位置の支柱に対する糸条体の固定方法としては、クロス部に糸条体を巻き付ける方法を採用すると便利であり、この様な方法での利用が可能である点において、本考案の支柱は最適なものといえる。その理由は、次の通りである。
【００１７】
大規模施設園芸農家が所有するビニール温室やビニールハウスでは、全長５０ｍあるいはそれ以上に達する温室やハウスもあるので、正面側と奥側の両端だけに支柱を設置したのでは中間部分で糸条体が弛んでしまう。従って、少なくとも数本以上は、中間位置の支柱が必要になる。
【００１８】
この様な中間位置の支柱に対する糸条体の固定に当たっては、クロス部に巻き付けるという方法が、糸条体をピンと張る上で極めて有効である。即ち、巻き付けるだけにしておくことで、糸条体の張り具合を調整しながら張設できるからである。そして、最終端側の支柱に対する固定が完了した後も、中間位置の支柱に対する巻き付け状態を微調整することで、全体としてバランスよく張設するという調整も可能である。
【００１９】
この結果、本考案によれば、新築時はもちろん、既存のビニールハウスやビニール温室に鳥類忌避用糸条体を張設したり、また、糸条体を取り替えたりする作業を容易に実施することができる。
【００２０】
ここで、鳥類忌避用の糸条体としては、釣り糸、テグス、ピアノ線等が好適である。
【００２１】
また、本考案の鳥類忌避用糸条体張設用支柱は、針金を曲げて形成されているので、全体として軽量である。よって、屋根の上へ運び上げる際にも、屋根の上での取り付け作業の際にも、いずれも重量面や運搬面において、作業性を向上することが可能である。
【００２２】
さらに、本考案の鳥類忌避用糸条体張設用支柱は、前述の通り針金を曲げて形成されているので、風圧面積が小さい。よって、支柱自体が受ける風圧に対して変形し難いという効果も発揮される。
【００２３】
加えて、本考案の鳥類忌避用糸条体張設用支柱は、針金を曲げて形成される支柱本体を備え、この支柱本体は、クロス部から左右斜め下方に伸びる二つの脚部を有するので、全体として逆Ｖ字形状のラーメン構造体となっている。この結果、糸条体固定部に荷重を加えた場合の曲げ剛性が高く、変形し難いという効果を発揮する。これは、糸条体が受ける風圧による支柱本体の変形が生じ難く、その結果として、糸条体をピンと張った状態を長期間維持できるという効果につながる。よって、本考案の鳥類忌避用糸条体調節用支柱は、鳥類忌避効果を維持し続けることができるという効果も発揮する。
【００２４】
ここで、棟木や樋などの長手方向部材を有するビニールハウスやビニール温室に対して設置するものであるときは、前記構成（Ａ）〜（Ｅ）に加えて、さらに、以下の（Ｆ）〜（Ｈ）の構成をも有するものとするとよい。
【００２５】
（Ｆ）前記糸条体固定部は、前記針金のほぼ中央辺りを曲げることによって形成されていること。
（Ｇ）前記屋根固定部は、前記脚部の下端から水平方向外側に屈曲され、上方からビス、ネジ又はボルト等の結合要素を挿入可能なループ状の部分として構成されていること。
（Ｈ）前記屋根固定部としてのループ状の部分は、前記結合要素の頭が下方に抜け出さない様な挿通穴を構成する寸法・形状とされていること。
【００２６】
このタイプの鳥類忌避用糸条体張設用支柱は、棟木や樋等の上面の平面部に対して、屋根固定部の挿通穴の上方からビス等の結合要素を挿入してネジ止めする方法で、棟木や樋に固定することができる。
【００２７】
また、棟木のないビニールハウスに対して設置するための鳥類忌避用糸条体張設用支柱であるときは、前記構成（Ａ）〜（Ｅ）に加えて、さらに、以下の（Ｆ）及び（Ｉ）〜（Ｋ）の構成をも有するものとするとよい。
【００２８】
（Ｆ）前記糸条体固定部は、前記針金のほぼ中央辺りを曲げることによって形成されていること。
（Ｉ）前記脚部の下端に、さらに外側に伸びる様に前記針金を屈曲させて形成された水平部を備えていること。
（Ｊ）前記屋根固定部は、前記水平部を、ビニールハウスにおいてビニールシートを着脱可能に固定するレールに嵌り込む様な寸法・形状を有する様に前記針金を屈曲させて形成されていること。
（Ｋ）前記水平部の先端は、前記レーから上方所定高さに浮いた状態となる様に屈曲されて、該レールに対してこの支柱を着脱する際の操作レバー部とされていること。
【００２９】
このビニールハウス用の鳥類忌避用糸条体張設用支柱は、ビニールシート固定用のレールに、片方の水平部を嵌め込み、その後、もう一方の水平部を嵌め込むことで、ビニールシートの上から容易に取り付けることができる。取り外しの際には、操作レバー部に指をかけて水平部を変形させながら片方をレールから外し、その後もう片方も同様にしてレールから外すという操作によって、容易に取り外すことができる。これにより、ビニールシートの取り替えに支障を来すということがなく、棟木のないビニールハウスに対しても鳥類忌避用糸条体を張設することができるという効果が発揮される。
【００３０】
なお、本考案の鳥類忌避用糸条体張設用支柱を構成する針金としては、断面円形のものを用いるとよい。断面円形であると方向性無く曲げることができるので、加工が容易であり、また、変形させる際にも、方向性無く変形するので、ビニールハウスやビニール温室への着脱が容易になるからである。加えて、糸条体を巻き付けるときに滑りがよいので締め上げ作業を容易に実施できるという効果や、糸条体に損傷を与えないとい効果もある。
【００３１】
また、本考案の鳥類忌避用糸条体張設用支柱を構成する針金としては、直径２ｍｍ〜３ｍｍ程度のスチール製のものを用いるとよい。これは、太すぎてビニールハウスのレールへの着脱が困難になるのを回避する効果と、細すぎて糸条体が受ける風圧で支柱が変形してしまうのを回避する効果とを考慮したものである。なお、ビニール温室用の場合には、レールへの着脱は関係ないので、加工可能な太さであれば、３ｍｍを越えるものであってもよい。なお、直径２ｍｍ以下であっても、屋根への取り付け間隔を狭くすることで、支柱間の糸条体の長さを短くして風圧による変形加重を小さくすれば、変形を防止し得るから、これを本件考案の技術的範囲から排除するものではない。
【００３２】
【考案の実施の形態】
次に、本考案の実施の形態について、図面を参照しつつ説明する。第１の実施の形態のテグス張設用支柱１０は、図１に示す様に、ビニール温室１の棟木２や、樋３に対して、温室の長手方向に所定間隔（図の例では１２〜１８ｍ）を開けて固定して用いる。
【００３３】
このテグス張設用支柱１０は、図２〜図４に示す様に、直径２ｍｍの断面円形のスチール製の針金を曲げて形成される支柱本体１１を備える。この支柱本体１１は、その脚部１２の下端に当該支柱本体１１を屋根に固定するための屋根固定部１３を備える。また、支柱本体１１は、その上端部に糸条体を締結するテグス固定部１４を備える。このテグス固定部１４は、支柱本体１１を構成する針金を、１周以上のループを形成した上でクロスさせて左右斜め下方に伸びる様に曲げることにより形成され、このループ部１４ａ及びクロス部１４ｂとして構成されるものである。そして、支柱本体１１は、全体形状として、二等辺三角形の二つの斜辺からなる逆Ｖ字状に形成されている。
【００３４】
より詳しくは、テグス固定部１４は、針金のほぼ中央辺りを曲げることによって形成されている。また、屋根固定部１３は、各脚部１２の下端からそれぞれ水平方向外側に屈曲され、上方からビス、ボルト又はネジ等の結合要素を挿入可能なループ状の部分として構成されている。この屋根固定部１３としてのループ状部分は、結合要素の頭が下方に抜け出さない様な挿通穴１５を構成する寸法・形状とされている。
【００３５】
このテグス張設用支柱１０は、棟木２に対しては図１のＡの様に、樋３に対しては図１のＢの様に、脚部１２が温室１の長手方向に開いた位置関係となる様に配置し、ビス打ちによって固定される。なお、ビス打ち後にシリコンを塗布して、ビスの緩みを防止する。
【００３６】
こうして棟木２や樋３に対して固定した支柱の上端のテグス固定部１４に対して、テグス１６（例えば、海釣り用の２０号程度のものなど）を縛り付けたり、巻き付けたりして固定して展張し、温室１の屋根の棟木２や樋３の上に張設する。
【００３７】
ここで、本実施の形態は、温室１として奥行き方向の全長が５０ｍ程度のものを想定している。従って、屋根の上には、正面妻側から奥行き方向に、少なくとも２本の中間位置の支柱を有する一列につき４本以上のテグス張設用支柱１０が設置されている。このため、テグス１６を温室１の屋根の上に張設するには、例えば次の様な作業を実施する。
【００３８】
まず、正面妻側のテグス張設用支柱１０のループ部１４ａにテグス１６の先端を挿通させると共に、ループ部１４ａやクロス部１４ｂに何回か巻き付けた上で、縛り付けて固定する。
【００３９】
次に、正面妻側から２番目のテグス張設用支柱１０に対して、そのクロス部１４ｂにテグス１６を巻き付けながら締め上げる様にして固定する。このとき、単に巻き付けるだけでもよいし、巻き付けた上で縛り付ける様にしてもよい。
【００４０】
以下、中間位置の支柱に対しては同様にしてテグス１６を固定していく。そして、一番奥の位置のテグス張設用支柱１０に対しては、そのクロス部１４ｂにテグス１６を巻き付けながら締め上げた上で、当該クロス部１４ｂ又はループ部１４ａに縛り付けて固定する。
【００４１】
以上説明した第１の実施の形態のテグス張設用支柱１０は、全体としてバネ性を有する上に、テグス固定部１４が針金の中央付近を曲げて形成したループ部１４ａとその下方のクロス部１４ｂとにより構成されているので、鳥類忌避用糸条体としてのテグス１６を縛り付けたり巻き付けたりして固定する際、そのバネ性による変形とその結果生じる反発力を利用して、テグス１６にテンションを加えつつ、きつく締め上げることができる。
【００４２】
ここで、クロス部１４ｂに糸条体を巻き付けた場合、クロス部１４ｂの上方に位置するループ１４ａが抜け止めとなる。従って、作業性の悪い屋根上でも、テグス１６を、容易に、しかも、しっかりと固定することができるという効果が発揮される。
【００４３】
また、このテグス張設用支柱１０は、クロス部１４ｂに巻き付けるという方法でのテグス１６の固定が実施できるので、テグス１６をピンと張る上で極めて有効である。即ち、巻き付けるだけにしておくことで、テグス１６の張り具合を調整しながら張設できるからである。そして、最終端側のテグス張設用支柱１０に対する固定が完了した後も、中間位置のテグス張設用支柱１０に対する巻き付け状態を微調整することで、全体としてバランスよく張設するという調整も可能である。
【００４４】
この結果、本考案によれば、新築時はもちろん、既存のビニール温室に鳥類忌避用のテグス１６を張設したり、また、既に張設されているテグス１６を取り替えたりする作業を容易に実施することができる。
【００４５】
また、テグス張設用支柱１０は、針金を曲げて形成されているので、全体として軽量である。よって、屋根の上へ運び上げる際にも、屋根の上での取り付け作業の際にも、いずれの作業でも重量面及び運搬面において、作業性を向上することが可能である。
【００４６】
さらに、テグス張設用支柱１０は、前述の通り針金を曲げて形成されているので、受圧面積が小さい。よって、テグス張設用支柱１０自体が受ける風圧に対して変形し難いという効果も発揮される。
【００４７】
加えて、このテグス張設用支柱１０は、針金を曲げて形成される支柱本体１１を備え、この支柱本体１１は、クロス部１４ｂから左右斜め下方に伸びる二つの脚部１２を有するので、全体として逆Ｖ字形状のラーメン構造体となっている。この結果、テグス固定部１４に荷重を加えた場合の曲げ剛性が高く、変形し難いという効果を発揮する。これは、テグス１６が受ける風圧による支柱本体１１の変形が生じ難く、その結果として、テグス１６をピンと張った状態を長期間維持できるという効果につながる。よって、このテグス張設用支柱１０は、鳥類忌避効果を維持し続けることができるという効果も発揮する。
【００４８】
そして、このテグス張設用支柱１０は、棟木２や樋３の上面の平面部に対して、屋根固定部１３の挿通穴１３ａの上方からビス打ちするという方法で固定することができるので、テグス張設用支柱１０自体の設置作業が容易であるという効果も発揮する。
【００４９】
加えて、断面円形の針金を用いているので、テグス１６を巻き付けるときに滑りがよいので締め上げ作業を容易に実施できるという効果作用や、テグス１６に損傷を与えないとい効果もある。
【００５０】
次に、第２の実施の形態として、棟木のないビニールハウスに対して設置するためのテグス張設用支柱を、図５〜図９に基づいて説明する。
【００５１】
この第２の実施の形態としてのテグス張設用支柱２０は、図５に示す様に、ビニールハウス５のビニールシート固定用レール６に対して、ハウス５の長手方向に所定間隔（図の例では１２〜１８ｍ）を開けて固定して用いる。
【００５２】
このテグス張設用支柱２０は、図６〜図＊＊に示す様に、直径２ｍｍの断面円形のスチール製の針金を曲げて形成される支柱本体２１を備える。この支柱本体２１は、その脚部２２の下端に当該支柱本体２１を屋根に固定するための屋根固定部２３を備える。また、支柱本体２１は、その上端部に糸条体を締結するテグス固定部２４を備える。このテグス固定部２４は、支柱本体２１を構成する針金を、１周以上のループを形成した上でクロスさせて左右斜め下方に伸びる様に曲げることにより形成され、このとき形成されるループ部２４ａ及びクロス部２４ｂとして構成されるものである。そして、支柱本体２１は、全体形状として、二等辺三角形の二つの斜辺からなる逆Ｖ字状に形成されている。
【００５３】
より詳しくは、テグス固定部２４は、針金のほぼ中央辺りを曲げることによって形成されている。また、テグス固定部２４は、脚部２２の下端に、さらに外側に伸びる様に針金を屈曲させて形成された水平部２５を、ビニールシート固定用レール６に嵌り込む様な寸法・形状を有する様に針金を屈曲させて形成されている。また、この水平部２５の先端は、レール６の上面から所定高さだけ浮いた状態となる様に屈曲され、レール６に対してこの支柱２０を着脱する際の操作レバー部２６とされている。
【００５４】
このビニールハウス用のテグス張設用支柱２０は、まず、図１０の様に、ビニールシート固定用レール６に対する位置を決め、次に、図１１に示す様に、片方の水平部２５を嵌め込み、その後、図１２に示す様に、もう一方の水平部２５を嵌め込むことで、ビニールシートの上から容易に取り付けることができる。取り外しの際には、操作レバー部２６に指をかけて水平部２５を変形させながら片方をレール６から外し、その後もう片方も同様にしてレール６から外すという操作によって、容易に取り外すことができる。これにより、ビニールシートの取り替えに支障を来すということもなく、棟木のないビニールハウス５に対しても鳥類忌避用のテグス１６を容易に張設することができるという効果が発揮される。
【００５５】
また、この効果の他に、第１の実施の形態の支柱１０が奏したのと同様の作用効果を発揮する。
【００５６】
より具体的には、まず、全体としてバネ性を有する上に、テグス固定部２４が針金の中央付近を曲げて形成したループ部２４ａとその下方のクロス部２４ｂとにより構成されているので、テグス１６を縛り付けたり巻き付けたりして固定する際、そのバネ性による変形とその結果生じる反発力を利用して、テグス１６にテンションを加えつつ、きつく締め上げることができるという作用効果を発揮する。
【００５７】
また、クロス部２４ｂに糸条体を巻き付けた場合、ループ２４ａが抜け止めとなるという作用効果も発揮される。
【００５８】
従って、作業性の悪い屋根上でも、テグス１６を、容易に、しかも、しっかりと固定することができるという作用効果が発揮される。
【００５９】
また、テグス張設用支柱２０は、クロス部２４ｂに巻き付けるという方法でのテグス１６の固定が実施できるので、テグス１６の張り具合を調整しながら張設することができ、最終端側のテグス張設用支柱２０に対する固定が完了した後も、中間位置のテグス張設用支柱２０に対する巻き付け状態を微調整することで、全体としてバランスよく張設するという調整も可能である。
【００６０】
この結果、第２の実施の形態のテグス張設用支柱２０によれば、新築時はもちろん、既存のビニールハウスにテグス１６を張設したり、また、既に張設されているテグス１６を取り替えたりする作業を容易に実施することができる。
【００６１】
また、テグス張設用支柱２０は、針金を曲げて形成されているので、全体として軽量で、設置作業における作業性向上に寄与するという作用効果がある。
【００６２】
さらに、テグス張設用支柱２０は、前述の通り針金を曲げて形成されているので、それ自体の受圧面積が小さく、風圧に対して変形し難いという作用効果も発揮する。
【００６３】
加えて、このテグス張設用支柱２０は、全体として逆Ｖ字形状のラーメン構造体となっているので、曲げ剛性が高く、変形し難いという作用効果を発揮する。従って、テグス１６をピンと張った状態を長期間維持できるという作用効果を発揮し、もって、鳥類忌避効果を維持し続けることができるという作用効果を発揮する。
【００６４】
そして、このテグス張設用支柱２０は、ビニールシート固定用レール６に対して水平部２５を弾性変形させながら嵌め込んだり取り外したりすることができるので、その設置作業が容易であるという作用効果も発揮する。
【００６５】
加えて、断面円形の針金を用いているので、テグス１６を巻き付けるときに滑りがよいので締め上げ作業を容易に実施できるという効果作用や、テグス１６に損傷を与えないとい効果もある。
【００６６】
以上本考案の実施の形態を説明したが、本考案はこれらの実施の形態にのみ限られるものではない。
【００６７】
例えば、テグス１６に代えてピアノ線を張設してもよいし、針金の直径も２ｍｍのものに限られるわけではないし、断面円形でなくてもよい。
【００６８】
また、テグス１６の固定の仕方も、実施の形態で述べたやり方にのみ限られる訳ではなく、ループ部１４ａに通してループ部１４ａに巻き付けてもよいし、中間位置の支柱に対しても縛り付ける方法を採用してもよいし、ループ部１４ａ及びクロス部１４ｂの両方に巻き付ける様にしてもよい。
【００６９】
【考案の効果】
以上説明した様に、本考案によれば、ビニールハウスやビニール温室に対して、鳥類忌避用の糸条体を容易に張設できるという効果を発揮する。
【図面の簡単な説明】
【図１】第１の実施の形態としてのビニール温室用のテグス張設用支柱の設置状態を示す斜視図である。
【図２】第１の実施の形態としてのビニール温室用のテグス張設用支柱の斜視図である。
【図３】第１の実施の形態としてのビニール温室用のテグス張設用支柱の正面図である。
【図４】第１の実施の形態としてのビニール温室用のテグス張設用支柱の部分拡大図である。
【図５】第２の実施の形態としてのビニールハウス用のテグス張設用支柱の設置状態を示す斜視図である。
【図６】第２の実施の形態としてのビニールハウス用のテグス張設用支柱の斜視図である。
【図７】第２の実施の形態としてのビニールハウス用のテグス張設用支柱の正面図である。
【図８】第２の実施の形態としてのビニールハウス用のテグス張設用支柱の部分拡大図である。
【図９】第２の実施の形態としてのビニールハウス用のテグス張設用支柱の部分拡大図である。
【図１０】第２の実施の形態としてのビニールハウス用のテグス張設用支柱の取り付け手順を示す斜視図である。
【図１１】第２の実施の形態としてのビニールハウス用のテグス張設用支柱の取り付け手順を示す斜視図である。
【図１２】第２の実施の形態としてのビニールハウス用のテグス張設用支柱の取り付け手順を示す斜視図である。
【符号の説明】
【考案の実施の形態】
１・・・ビニール温室、
２・・・棟木、
３・・・樋、
５・・・ビニールハウス、
６・・・ビニールシート固定用レール、
１０・・・テグス張設用支柱、
１１・・・支柱本体、
１２・・・脚部、
１３・・・屋根固定部、
１４・・・テグス固定部、
１４ａ・・・ループ部、
１４ｂ・・・クロス部、
１５・・・挿通穴、
１６・・・テグス、
２０・・・テグス張設用支柱、
２１・・・支柱本体、
２２・・・脚部、
２３・・・屋根固定部、
２４・・・テグス固定部、
２４ａ・・・ループ部、
２４ｂ・・・クロス部、
２５・・・水平部、
２６・・・操作レバー部。
【図１】
0003098981.tif 000003
【図２】
0003098981.tif 000004
【図３】
0003098981.tif 000005
【図４】
0003098981.tif 000006
【図５】
0003098981.tif 000007
【図６】
0003098981.tif 000008
【図７】
0003098981.tif 000009
【図８】
0003098981.tif 000010
【図９】
0003098981.tif 000011
【図１０】
0003098981.tif 000012
【図１１】
0003098981.tif 000013
【図１２】
0003098981.tif 000014